(57)【要約】  本発明は、第１のインク組成物と第２のインク組成物とを有するインクセットであって、両インク組成物は、シリコーン表面活性剤を有し、両インク組成物の相互へのブリーディングを制御するため、両インク組成物内のシリコーン表面活性剤の合計濃度は異なる、インクセットに係る。
2016513740.tif 000002
【特許請求の範囲】
【請求項１】
第１のインク組成物と第２のインク組成物とを有するインクセットであって、両インク組成物は、シリコーン表面活性剤を有し、両インク組成物の相互へのブリーディングを制御するため、両インク組成物内のシリコーン表面活性剤の合計濃度は異なる、インクセット。
【請求項２】
第１のインク組成物は明るさＬ１＊を有し、第２のインク組成物は明るさＬ２＊を有し、前記明るさは、前記明るさは、ＣＩＥＬＡＢ表色系に従い定義され、Ｌ２＊＜Ｌ１＊であり、両インク組成物はシリコーン表面活性剤を有し、第１のインク組成物内のシリコーン表面活性剤の合計重量分率は、第２のインク組成物内のシリコーン表面活性剤の合計重量分率よりも大きい、請求項１に記載のインクセット。
【請求項３】
第２のインク組成物内のシリコーン表面活性剤の合計重量分率と第１のインク組成物内のシリコーン表面活性剤の合計重量分率との比率は、０乃至０．９５、好ましくは０．５乃至０．９、より好ましくは０．７乃至０．８の範囲である、請求項２に記載のインクセット。
【請求項４】
当該インクセットは、明るさＬ３＊を有する第３のインク組成物を有し、Ｌ３＊＜Ｌ２＊＜Ｌ１＊であり、前記第３のインク組成物はシリコーン表面活性剤を有し、第２のインク組成物内のシリコーン表面活性剤の合計重量分率は、第３のインク組成物内のシリコーン表面活性剤の合計重量分率よりも大きい、請求項２乃至３のいずれか一項に記載のインクセット。
【請求項５】
第３のインク組成物は、当該インクセットの最低明度を有する、請求項２乃至４のいずれか一項に記載のインクセット。
【請求項６】
第３のインク組成物はブラックインク組成物である、請求項５に記載のインクセット。
【請求項７】
第１のインク組成物は、当該インクセットの最高明度を有する、請求項４乃至６のいずれか一項に記載のインクセット。
【請求項８】
第１のインク組成物はイエローインク組成物である、請求項７に記載のインクセット。
【請求項９】
第２のインク組成物は、シアン及び／もしくはマゼンタインク組成物である、請求項２乃至８のいずれか一項に記載のインクセット。
【請求項１０】
シリコーン表面活性剤は、シロキサン表面活性剤、特にエトキシル化表見活性剤からなるグループから選択される、請求項１乃至９のいずれか一項に記載のインクセット。
【請求項１１】
シリコーン表面活性剤は、式２：
【化４】
2016513740.tif 000012
（式中、ｍは１乃至２５の整数であり、ｎは１乃至１０の整数であり、Ｒｇは−Ｈ及びアルキルから選択される末端基である）
の構造を有する、請求項１０に記載のインクセット。
【請求項１２】
各インク組成物内のシリコーン表面活性剤は、合計インク組成物に対して０乃至１．５ｗｔ％の量で存在する、請求項１乃至１１のいずれか一項に記載のインクセット。
【請求項１３】
各インク組成物は、アセチレングリコール表面活性剤、好ましくはエトキシル化アセチレン表面活性剤を、合計インク組成物に対して０．５乃至２ｗｔ％の量でさらに有する、請求項１乃至１２のいずれか一項に記載のインクセット。
【請求項１４】
各インク組成物は、等しい量のアセチレングリコール表面活性剤を含有する、請求項１３に記載のインクセット。
【請求項１５】
ブラック、シアン、マゼンタ及びイエロー顔料水性インク組成物を有する、請求項１乃至１４のいずれか一項に記載のインクセットであって、
各組成物は、エトキシル化アセチレン表面活性剤を、合計インク組成物に対して０．５乃至２ｗｔ％の等しい量で有し、且つ前記インク組成物は、エトキシル化シロキサン表面活性剤を０乃至１ｗｔ％の量でさらに有し、
イエローインク組成物内のシロキサン表面活性剤の量は、その他のインク組成物と比べて最高であり、且つブラックインク内のシロキサン表面活性剤の量は、その他のインク組成物と比べて最低である、インクセット。
【発明の詳細な説明】
【技術分野】
【０００１】
本発明は、一般にインクジェット印刷における使用に好適なインクセットに関わり、前記インクセットは、少なくとも２つの色の異なるインクを有する。インクセット内に含まれるインクは、少なくとも最も濃い色及び最も薄い色に関する場合、印刷物内でブリーディングが見えない／見にくくするようなやり方で、相互カラー間のブリーディング(bleeding)が制御され得るように設計される。最も濃い色は最低Ｌ＊値（ＣＩＥＬＡＢ表色系）を有するものであり、最も薄い色は最高Ｌ＊値を有する者である。
【背景技術】
【０００２】
ブリーディングは、第１のインク及び第２のインクが印刷媒体上に堆積された場合、第１のインクの第１の（部分的）イメージと第２のインクの第２の（部分的）イメージとの間のでこぼこした（ragged）境界に示されるような、第１の色を有する第１のインクの、第２の色を有する第２のインク内への侵入と定義される。
【０００３】
より濃い色を有するインクがより薄めの色を有するインクに侵入する場合、それがなおいっそう目に見えるので、ブリーディングの発生は、特に問題である。インクの表面張力は、ブリーディングの方法に責任があり得るインクのパラメータとみなされる。先行技術において使用されたような表面張力は、通常インクと空気との間の表面張力と解釈されるべきである。ＵＳ７，９８８，２７７Ｂ２において、異なる色の２つのインクが印刷媒体上で互いに出会う場合、低表面張力を有するインクは、高表面張力を有するインク内にブリードすることが開示される。インクの表面張力は、通常時間依存性であるから、それは比較的高動的表面張力（バルク表面張力とも称する）から低い静的表面張力まで減少し、且つ異なるインクカラーは同時に噴出されないという事実から、ブリーディングは通常、第１のものから後に噴出されたカラーまでである。なぜならば、ＵＳ７，９８８，２７７Ｂ２において開示されているように、先行技術において、ブリーディングについて良い結果をもたらす後者として最も濃い色を有するインクを噴出することが記載されているからだ。
【０００４】
先行技術に記載された別のオプションは、動的表面張力を変更するため表面活性剤を添加することである。それにより、ＵＳ８，３４３，２６８Ｂ２に開示されるように、最も濃い色は、最高の動的表面張力を有する。
【０００５】
従って先行技術で知られたインクセットの欠点は、適切にブリーディングを制御するために、異なるカラーインクは、特定の（固定された）純分で印刷されなければいけないことである。
【０００６】
従って本発明の目的は、上述の欠点を予防するもしくは少なくとも軽減するインクセットを提供することである。当該インクセットは、少なくとも２色のインクを有し、且つインクを印刷する順序に関係なく、制御されたブリーディング挙動を有する。
【発明の概要】
【発明が解決しようとする課題】
【０００７】
この目的は、第１の色を有する第１のインクと、第１の色とは異なる第２の色を有する第２のインクとを有するインクセットを提供することにより、少なくとも部分的に達成され得る。前記第１のインクは、第１のインクと第２のインクとの間の界面において、及び／又は第１のインクと印刷媒体との間の界面において、活性である第１の界面活性剤を有する。
【課題を解決するための手段】
【０００８】
本実施形態において、インクセットは、もっぱら２つのインクを有し、その２つのインクのうち一方のみが、本発明における知見に従って適合される必要がある。
【０００９】
本発明によるインクセットの第１のインクは、インクセットの第２のインク内にブリードする。従って、一実施形態において第１のインクは、第２のインクよりも薄い(lighter)色である。この実施形態においてより薄い色がより濃い(darker)色内へブリードすることは、全くとまではいかなくとも、見えにくい。
【００１０】
一実施形態においてインクセットは、第３のインクを有する。その場合、第３のインクは、インクセットの中で最も濃い色であり、第２のインクは、第２のインクと第３のインクとの間の界面に置いて、及び／又は第２のインクと印刷媒体との間の界面において活性である第２の界面活性剤を有し、第２の界面活性剤は、第１の界面活性剤と同一もしくは異なり、且つ第１のインク内の第１の表面活性剤の活性は、第２のインク内の第２の表面活性剤の活性よりも大きい、
【００１１】
本発明の文脈における用語「活性」は、何れのインクが何れのインク内にブリードすることを意味する相対的用語と解釈されるべきである。最高活性を有する界面活性剤含有インクは、他の全てのインク内にブリードするかもしれない。最低活性を有する界面活性剤含有インクは、他の全てのインクがその中へのブリードすることを許す。活性は、インク内で使用される界面活性剤のタイプ、及びそのインク内の表面活性剤の濃度に依存し得る。異なるとあいプの界面活性剤が異なるインクにおいて使用されるならば、活性は実験により、例えばブリーディング実験により決定されるべきである。
【００１２】
全インクが同一タイプの界面活性剤を有するならば、異なるインクにおける界面活性剤の濃度が活性を決定する。
【００１３】
一実施形態において第１の界面活性剤及び第２の界面活性剤は、同一であり、且つ第１のインク内の第１の界面活性剤の濃度は、第２のインク内の第２の界面活性剤の濃度よりも高い。第２のインク内の（第１の界面活性剤と同一である）第２の界面活性剤と比べて、第１のインク内の第１の界面活性剤の高い濃度は、第１のインク内の第１の界面活性剤に、第２のインク内の第２の界面活性剤の活性よりも高い活性を与える。
【００１４】
一実施形態において第３のインクは、第３のインクと第１のインクとの間の界面において、及び／又は第２のインクと第３のインクとの間の界面において、及び／又は第３のインクと印刷媒体との間の界面において活性である第３の界面活性剤を有する。この場合、第３の界面活性剤は、第１の界面活性剤及び／又は第２の界面活性剤と同一もしくは異なり、且つ第２のインク内の第２の界面活性剤の活性は、第３のインク内の第３の界面活性剤の活性よりも大きい。
【００１５】
一実施形態において第１の界面活性剤、第２の界面活性剤及び第３の界面活性剤は同一であり、且つ第１のインク内の第１の界面活性剤の濃度は、第２のインク内の第２の界面活性剤の濃度よりも高く、第２のインク内の第２の界面活性剤の濃度は、第３のインク兄の第３の界面活性剤の濃度よりも高い。第３のインク内の（第２及び第１の界面活性剤と同一である）第３の界面活性剤と比べて、第２のインク内の第２の界面活性剤の高い濃度は、第２のインク内の第２の界面活性剤に、第３のインク内の第３の界面活性剤の活性よりも高い活性を与える。
【００１６】
第１の界面活性剤及び／又は第２の界面活性剤及び／又は第３の界面活性剤は同一でないならば、第１のインク内の第１の界面活性剤の活性は、第２のインク内の第２の界面活性剤の活性より大きく、また第２のインク内の第２の界面活性剤の活性は、第３のインク内の第３の界面活性剤の活性よりも大きくなるように、それぞれのインク内のそれぞれの界面活性剤の濃度は適合されるべきである。
【００１７】
一実施形態においてインクセットの異なるインク内の界面活性剤は、互いに同一でも異なっていてもよい。しかしながら、異なるインク内の界面活性剤が同一であるならば、最も色が濃い（即ちＣＩＥＬＡＢ表色系による最低Ｌ＊を有する）インク内のこれら表面活性剤の濃度は最低となり、且つ最も色が薄い（即ちＣＩＥＬＡＢ表色系による最高Ｌ＊を有する）インク内のこれら表面活性剤の濃度は最高となる。本発明の文脈において、最も色が薄いインクよりも色が濃く且つ最も色が濃いインクよりも色が薄いと解釈されるべきである中間色を有するインクは、最も色が濃いインクの濃度と最も色が薄いインクの濃度との間の濃度において、表面活性剤を有してよい。
【００１８】
一実施形態においてインクセットは、第４のインクを有する。前記第４のインクは、第１のインクと第４のインクとの間の界面において、及び／又は第３のインクと第４のインクとの間の界面において、及び／又は第４のインクと印刷媒体との間の界面において活性である第４の界面活性剤を有し、前記第４の界面活性剤は、第１の界面活性剤及び／又は第２の界面活性剤及び／又は第３の界面活性剤と同一もしくは異なり、そして第４のインク内の第４の界面活性剤の活性は、第３のインク内の第３の界面活性剤の活性よりも大きく、且つ第１のインク内の第１の界面活性剤の活性よりも小さい。
【００１９】
一実施形態において第２のインク内の第２の界面活性剤の活性及び第４のインク内の第４の界面活性剤の活性は、実質的に互いに等しい。インクセットが、上で定義した中間色の２以上のインクを有し、且つ中間色のインクがＣＩＥＬＡＢ表色系により類似のＬ＊値を有する場合、この実施形態は特に関連する。この実施形態によるインクセット内の第１のインクは、他の全てのインク内にブリードするかもしれない。この実施形態によるインクセット内の第３のインクは、他の全てのインクがその中へのブリードすることを許す。
【００２０】
一実施形態において第１のインクは最も色が薄く（最高Ｌ＊値を有する）、第３のインクは最も色が濃く（最低Ｌ＊値を有する）、第２のインク及び第４のインクは、上で定義された中間色である（両インクとも、第１のインクのＬ＊値と第３のインクのＬ＊値との間のＬ＊値を有する）。
【００２１】
一実施形態において第１のインクはイエロー着色インクである。
【００２２】
一実施形態において第２のインクはマゼンタ着色インクである。
【００２３】
一実施形態において第３のインクはブラック着色インクである。
【００２４】
一実施形態において第４のインクはシアン着色インクである。
【００２５】
一実施形態において第１の表面活性剤は、界面活性剤の混合物を有する。
【００２６】
一実施形態において第２の表面活性剤は、界面活性剤の混合物を有する。
【００２７】
一実施形態において第３の表面活性剤は、界面活性剤の混合物を有する。
【００２８】
一実施形態において第４の表面活性剤は、界面活性剤の混合物を有する。
【００２９】
一実施形態において第１のインク内の第１の表面活性剤の濃度と第２のインク内の第２の表面活性剤の濃度との差は（この場合第１の界面活性剤及び第２の界面活性剤は同一である）、少なくとも０．０２ｗｔ％，好ましくは０．０３ｗｔ％乃至１．５ｗｔ％，より好ましくは０．０４ｗｔ％乃至１．０ｗｔ％，さらにより好ましくは０．０５ｗｔ％乃至０．５ｗｔ％である。
【００３０】
一実施形態において第１のインク内の第１の表面活性剤の濃度と第４のインク内の第４の表面活性剤の濃度との差は（この場合第１の界面活性剤及び第４の界面活性剤は同一である）、少なくとも０．０２ｗｔ％，好ましくは０．０３ｗｔ％乃至１．５ｗｔ％，より好ましくは０．０４ｗｔ％乃至１．０ｗｔ％，さらにより好ましくは０．０５ｗｔ％乃至０．５ｗｔ％である。
【００３１】
一実施形態において第３のインク内の第３の表面活性剤の濃度と第２のインク内の第２の表面活性剤の濃度との差は（この場合第３の界面活性剤及び第２の界面活性剤は同一である）、少なくとも０．０２ｗｔ％，好ましくは０．０３ｗｔ％乃至１．５ｗｔ％，より好ましくは０．０４ｗｔ％乃至１．０ｗｔ％，さらにより好ましくは０．０５ｗｔ％乃至０．５ｗｔ％である。
【００３２】
一実施形態において第３のインク内の第３の表面活性剤の濃度と第４のインク内の第４の表面活性剤の濃度との差は（この場合第３の界面活性剤及び第４の界面活性剤は同一である）、少なくとも０．０２ｗｔ％，好ましくは０．０３ｗｔ％乃至１．５ｗｔ％，より好ましくは０．０４ｗｔ％乃至１．０ｗｔ％，さらにより好ましくは０．０５ｗｔ％乃至０．５ｗｔ％である。
【００３３】
界面活性剤の合計混合物に依存して、本発明によるインクセット内の全インクは、各インクと空気との間の界面において実質的に類似の動的及び静的表面張力を有してよい。例えばバブル張力計で動的及び静的表面張力を測定した結果は、同一あっても（但し必ずしも同一でなくとも）よかった。異なる媒体を有するインクセットからの異なるインクに関する接触角もまた、同一であってよかった。本発明によるインクセット内に含まれるインクのブリーディングの重症度は、従って色配列（即ち、異なる着色インクが印刷媒体上に印刷されるその順序）に依存しない。
【００３４】
本発明によるインクセット内で最も濃い色は変化してよく、それにより他の全てのインクは最も濃い色内にブリードする。そして最も薄い色は変化してよく、それにより他の全てのインク内にブリードしてよい。驚くべきことに本発明者は、本発明が少なくとも全ての水性インクシステムに作用することを発見した。しかしながら本発明は水性インクに限定されない。
【００３５】
驚くべきことに本発明者は、ブリーディング量を決定するのはインクと空気との間の表面張力だけではないことを発見した。インクと空気との間の表面張力を変化させることなく、インク内の表面活性剤の量を変化させることは、ブリーディングのレベルを（も）決定してよい。いずれの理論にも縛られることを望まないが、これら表面活性剤は、排他的にではなく、インク−インク界面において作用し得ると思われる。その他のインクと比べたあるインク内の表面活性剤の濃度差が高いほど、増々インクはその他のインク内へブリードし得る。最も薄い色のための最高濃度及び最も濃い色のための最低濃度、及びそれらの間のその他の色を認識することは、全色が最も濃い色内にブリードし、且つ最も薄い色は他の全色内にブリードする状況をもたらし得る。末端に最も濃い色を置く必要がないほど、この効果は優勢であり得る。同じことが、最も薄い色についても言える。最も薄い色が第１の位置に必ずしもなくてもよい。
【００３６】
従って、本発明は以下のことに関する：
１．  第１のインク組成物と第２のインク組成物とを有するインクセットであって、両インク組成物は、シリコーン表面活性剤を有し、両インク組成物の相互へのブリーディングを制御するため、両インク組成物内のシリコーン表面活性剤の合計濃度は異なる、インクセット。
２．  第１のインク組成物は明るさＬ１＊を有し、第２のインク組成物は明るさＬ２＊を有し、前記明るさは、前記明るさは、ＣＩＥＬＡＢ表色系に従い定義され、Ｌ２＊＜Ｌ１＊であり、両インク組成物はシリコーン表面活性剤を有し、第１のインク組成物内のシリコーン表面活性剤の合計重量分率は、第２のインク組成物内のシリコーン表面活性剤の合計重量分率よりも大きい、１項に記載のインクセット。
３．  第２のインク組成物内のシリコーン表面活性剤の合計重量分率と第１のインク組成物内のシリコーン表面活性剤の合計重量分率との比率は、０乃至０．９５、好ましくは０．５乃至０．９、より好ましくは０．７乃至０．８の範囲である、２項に記載のインクセット。
４．  当該インクセットは、明るさＬ３＊を有する第３のインク組成物を有し、Ｌ３＊＜Ｌ２＊＜Ｌ１＊であり、前記第３のインク組成物はシリコーン表面活性剤を有し、第２のインク組成物内のシリコーン表面活性剤の合計重量分率は、第３のインク組成物内のシリコーン表面活性剤の合計重量分率よりも大きい、２乃至３項のいずれか一項に記載のインクセット。
５．  第３のインク組成物は、当該インクセットの最低明度を有する、２乃至４項のいずれか一項に記載のインクセット。
６．  第３のインク組成物はブラックインク組成物である、５項に記載のインクセット。
７．  第１のインク組成物は、当該インクセットの最高明度を有する、４乃至６項のいずれか一項に記載のインクセット。
８．  第１のインク組成物はイエローインク組成物である、７項に記載のインクセット。
９．  第２のインク組成物は、シアン及び／もしくはマゼンタインク組成物である、２乃至８項のいずれか一項に記載のインクセット。
１０．  シリコーン表面活性剤は、シロキサン表面活性剤、特にエトキシル化表見活性剤からなるグループから選択される、１乃至９項のいずれか一項に記載のインクセット。
１１．  シリコーン表面活性剤は、式２：
【化１】
2016513740.tif 000003
（式中、ｍは１乃至２５、好ましくは１乃至２０、より好ましくは２乃至１５の範囲の整数であり、ｎは１乃至１０、好ましくは１乃至８、より好ましくは１乃至５の範囲の整数であり、Ｒｇは−Ｈ及びアルキル（例えばメチル）から選択され得る末端基である）
の構造を有する、１０項に記載のインクセット。
１２．  各インク組成物内のシリコーン表面活性剤は、合計インク組成物に対して０乃至１．５ｗｔ％の量で存在する、１乃至１１項のいずれか一項に記載のインクセット。
１３．  各インク組成物は、アセチレングリコール表面活性剤、好ましくはエトキシル化アセチレン表面活性剤を、合計インク組成物に対して０．５乃至２ｗｔ％の量でさらに有する、１乃至１２項のいずれか一項に記載のインクセット。
１４．  各インク組成物は、等しい量のアセチレングリコール表面活性剤を含有する、１３項に記載のインクセット。
１５．  ブラック、シアン、マゼンタ及びイエロー顔料水性インク組成物を有する、１乃至１４項のいずれか一項に記載のインクセットであって、
各組成物は、エトキシル化アセチレン表面活性剤を、合計インク組成物に対して０．５乃至２ｗｔ％の等しい量で有し、且つ前記インク組成物は、エトキシル化シロキサン表面活性剤を０乃至１ｗｔ％の量でさらに有し、
イエローインク組成物内のシロキサン表面活性剤の量は、その他のインク組成物と比べて最高であり、且つブラックインク内のシロキサン表面活性剤の量は、その他のインク組成物と比べて最低である、インクセット。
【図面の簡単な説明】
【００３７】
以下の本書に記載された詳細な説明及びもっぱら説明のためにある、発明について制限的ではない添付される概略図から、本発明はより十分に理解されるであろう。
【図１Ａ】印刷媒体−インク−空気システムにおける界面の概略図を表す。
【図１Ｂ】印刷媒体−インク−空気システムにおける界面の概略図を表す。
【図２】インクセットのブリーディングレベルを決定するのに使用されるテストファイル（の一部）の写真を表す。
【図３Ａ】先行技術によるインクセットの場合、Ｍ０が最初に印刷されるとき、シアン（Ｃ０）インクがマゼンタ（Ｍ０）インク内にブリードするのを表すテストファイル（の一部）の写真を表す。
【図３Ｂ】本発明によるインクセットの場合、Ｍ＋が最初に印刷されるとき、シアン（Ｃ０）インクがマゼンタ（Ｍ＋）インク内にブリードするのを表すテストファイル（の一部）の写真を表す。Ｍ＋インクは、Ｃ０インクよりも高い表面活性剤濃度を有する。
【図３Ｃ】本発明によるインクセットの場合、Ｍ−が最初に印刷されるとき、シアン（Ｃ０）インクがマゼンタ（Ｍ−）インク内にブリードするのを表すテストファイル（の一部）の写真を表す。Ｍ−インクは、Ｃ０インクよりも低い表面活性剤濃度を有する。
【図４】図３Ａ，３Ｂ及び３Ｃに示された状況に関するブリーディングの測定レベルのグラフ表現を表す。
【図５Ａ】先行技術によるインクセットの場合、Ｍ０が最初に印刷されるとき、マゼンタ（Ｍ０）インクがシアン（Ｃ０）インク内にブリードするのを表すテストファイル（の一部）の写真を表す。
【図５Ｂ】Ｍ＋が最初に印刷されるとき、マゼンタ（Ｍプラウ）インクがシアン（Ｃ０）インク内にブリードするのを表すテストファイル（の一部）の写真を表す。Ｍ＋インクは、Ｃ０インクよりも高い表面活性剤濃度を有する。
【図５Ｃ】マゼンタ（Ｍ−）インクがシアン（Ｃ０）インク内にブリードするのを表すテストファイル（の一部）の写真を表す。Ｍ−インクは、Ｃ０インクよりも低い表面活性剤濃度を有する。
【図６】図５Ａ，５Ｂ及び５Ｃに示された状況に関するブリーディングの測定レベルのグラフ表現を表す。
【図７】Ｃ０が最初に印刷されるとき、マゼンタ（Ｍ＋）インクがシアン（Ｃ０）インク内にブリードするのを表すテストファイル（の一部）の写真を表す。Ｍ＋インクは、Ｃ０インクよりも高い表面活性剤濃度を有する。
【図８】Ｃ０が最初に印刷され、あるいはＭ＋が最初に印刷される場合、マゼンタ（Ｍ＋）領域内のシアン（Ｃ０）直線；及び  Ｃ０が最初に印刷され、あるいはＭ＋が最初に印刷される場合、Ｃ０領域内のＭ＋直線に関するブリーディングの測定レベルのグラフ表現を表す。この場合、Ｍ＋インクは、Ｃ０インクよりも高い表面活性剤濃度を有する。
【図９】先行技術によるフルカラーインクセットの場合のブリーディングレベルを表すテストファイル（の一部）の写真を表す。
【図１０】本発明によるフルカラーインクセットの場合のブリーディングレベルを表すテストファイル（の一部）の写真を表す。
【図１１】図９及び１０に示された状況に関する測定ブリーディングレベルのグラフ表現を表す。
【図１２】本発明によるＭＹＫインクセットの場合のブリーディングレベルを表すテストファイル（の一部）の写真を表す。
【図１３】本発明によるＭＹＫインクセットの場合のブリーディングレベルを表すテストファイル（の一部）の写真を表す。
【図１４】図９，１２及び１３に示された状況に関する測定ブリーディングレベルのグラフ表現を表す。
【発明を実施するための形態】
【００３８】
詳細な説明
インク組成物
本発明によるインクセットに含まれるインクは、  着色剤，樹脂，表面活性剤及び任意のその他の添加剤を有してよい。インクの成分は、次のセクションに詳細に記載される。
【００３９】
着色剤
着色剤は、染料，顔料，染料の組合せ，顔料の組合せ又は染料及び顔料の組合せであり得る。着色剤は好適に選択され得る。
【００４０】
溶媒
環境に優しく、従って望ましい溶媒として水が挙げられる。本発明において、インク全体に対する水含有量は、好ましくは２０重量％乃至８０重量％である。より好ましくは、水の含有量は３０重量％乃至７５重量％、さらにより好ましくは４０重量％乃至７０重量％である。
【００４１】
共溶媒
インクの溶媒として、インクの吐出特性を改善するためもしくはインクの物理特性を調節するため、インクは、水に追加して水溶性有機溶媒を好ましくは含有する。本発明の効果が損なわれない限り、水溶性有機溶媒のタイプに特に制限はない。
【００４２】
水溶性有機溶媒の例は、多価アルコール，多価アルコールアルキルエーテル，多価アルコールアリールエーテル，窒素含有複素環化合物，アミド，アミン，アンモニウム化合物，硫黄含有化合物，炭酸プロピレン，及び炭酸エチレンを包含する。
【００４３】
溶媒の例は以下のものを包含する：  グリセリン（グリセロールとも称する），プロピレングリコール，ジプロピレングリコール，トリプロピレングリコール，テトラプロピレングリコール，ポリプロピレングリコール，エチレングリコール，ジエチレングリコール，トリエチレングリコール，テトラエチレングリコール，好ましくは分子量２００ｇｒａｍ／ｍｏｌ乃至１０００ｇｒａｍ／ｍｏｌを有するポリエチレングリコール（例えばＰＥＧ２００，ＰＥＧ４００，ＰＥＧ６００，ＰＥＧ８００，ＰＥＧ１０００），グリセロールエトキシラート，ペンタエリスリトールエトキシラート，好ましくは分子量２００ｇｒａｍ／ｍｏｌ及び１０００ｇｒａｍ／ｍｏｌを有するポリエチレングリコール（ジ）メチルエーテル，トリ−メチロール−プロパン，ジグリセロール（ジグリセリン），トリメチルグリシン（ベタイン），Ｎ−メチルモルホリンＮ−オキシド，デカグリセロール，１，４−ブタンジオール，１，３−ブタンジオール，１，２，６−ヘキサントリオール，２−ピロリジノン，ジメチルイミダゾリジノン，エチレングリコールモノ−ブチルエーテル，ジエチレングリコールモノメチルエーテル，ジエチレングリコールモノエチルエーテル，ジエチレングリコールモノプロピルエーテル，ジエチレングリコールモノ−ブチルエーテル，トリエチレングリコールモノメチルエーテル，トリエチレングリコールモノエチルエーテル，トリエチレングリコールモノプロピルエーテル，トリエチレングリコールモノ−ブチルエーテル，テトラエチレングリコールモノメチルエーテル，テトラエチレングリコールモノエチルエーテル，プロピレングリコールモノ−ブチルエーテル，ジプロピレングリコールモノメチルエーテル，ジプロピレングリコールモノエチルエーテル，ジプロピレングリコールモノプロピルエーテル，ジエチレングリコールモノブチルエーテル，トリプロピレングリコールモノメチルエーテル，トリプロピレングリコールモノエチルエーテル，トリプロピレングリコールモノプロピルエーテル，トリプロピレングリコールモノブチルエーテル，テトラプロピレングリコールモノメチルエーテル，ジエチレングリコールジエチルエーテル，ジエチレングリコールジブチルエーテル，トリエチレングリコールジエチルエーテル，トリエチレングリコールジブチルエーテル，ジプロピレングリコールジブチルエーテル，トリプロピレングリコールジブチルエーテル，３−メチル２，４−ペンタンジオール，ジエチレン−グリコール−モノエチルエーテルアセタート，１，２−ヘキサンジオール，１，２−ペンタンジオール及び１，２−ブタンジオール。
【００４４】
インク組成物内に含有される水溶性有機溶媒の合計量は、特に制限されないが、合計インク組成物に対して好ましくは０重量％乃至７５重量％，及びより好ましくは１０重量％乃至７０重量％，及びさらにより好ましくは１５重量％乃至６０重量％である。水溶性有機溶媒の量が８０重量％以上のとき、インク組成物の乾燥時間は長すぎる。水溶性有機溶媒の量が１０重量％のとき、インク組成物内の水は、より迅速に蒸発し、それはインク組成物の安定性を著しく減じるかもしれない。
【００４５】
樹脂
本発明によるインクジェットインクは、記録媒体に対する顔料定着性に鑑み、樹脂、特に水分散性樹脂（即ちラテックス樹脂）を含有し得る。水分散性樹脂として、フィルム形成性（画像形成性）に優れ、且つ撥水性，高度な耐水性及び高度な耐候性を有する水分散性樹脂が、高度な耐水性及び高画像濃度（高発色性）を有する画像を記録する際に有用である。
【００４６】
水分散性樹脂の例は、合成樹脂及び天然ポリマー化合物を包含する。
【００４７】
合成樹脂の例は、ポリエステル樹脂，ポリウレタン樹脂，ポリエポキシ樹脂，ポリアミド樹脂，ポリエーテル樹脂，ポリ（メタ）アクリル樹脂，アクリルシリコーン樹脂，フッ素系樹脂，ポリオレフィン樹脂，ポリスチレン系樹脂，ポリブタジエン系樹脂，ポリビニルアセタート系樹脂，ポリビニルアルコール系樹脂，ポリビニルエステル系樹脂，ポリ塩化ビニル系樹脂，ポリアクリル酸系樹脂，不飽和カルボン酸系樹脂及びコポリマー、例えばスチレン−アクリラートコポリマー樹脂，スチレン−ブタジエンコポリマー樹脂を包含する。
【００４８】
天然ポリマー化合物の例は、セルロース，ロジン，及び天然ゴムを包含する。
【００４９】
市販の水分散性樹脂エマルションの例は、以下のものを包含する：  Ｊｏｎｃｒｙｌ  ５３７及び７６４０（スチレン−アクリル樹脂エマルション，Ｊｏｈｎｓｏｎ  Ｐｏｌｙｍｅｒ  Ｃｏ．，  Ｌｔｄ．製），Ｍｉｃｒｏｇｅｌ  Ｅ−１００２及びＥ−５００２（スチレン−アクリル樹脂エマルション，Ｎｉｐｐｏｎ  Ｐａｉｎｔ  Ｃｏ．，  Ｌｔｄ．製），Ｖｏｎｃｏａｔ  ４００１（アクリル樹脂エマルション，Ｄａｉｎｉｐｐｏｎ  Ｉｎｋ  ａｎｄ  Ｃｈｅｍｉｃａｌｓ  Ｃｏ．，  Ｌｔｄ．製），Ｖｏｎｃｏａｔ  ５４５４（スチレン−アクリル樹脂エマルション，Ｄａｉｎｉｐｐｏｎ  Ｉｎｋ  ａｎｄ  Ｃｈｅｍｉｃａｌｓ  Ｃｏ．，  Ｌｔｄ．製），ＳＡＥ−１０１４  （スチレン−アクリル樹脂エマルション，Ｚｅｏｎ  Ｊａｐａｎ  Ｃｏ．，  Ｌｔｄ．製），  Ｊｕｒｙｍｅｒ  ＥＴ−４１０（アクリル樹脂エマルション，Ｎｉｈｏｎ  Ｊｕｎｙａｋｕ  Ｃｏ．，  Ｌｔｄ．製），Ａｒｏｎ  ＨＤ−５及びＡ−１０４（アクリル樹脂エマルション，Ｔｏａ  Ｇｏｓｅｉ  Ｃｏ．，  Ｌｔｄ．製），Ｓａｉｂｉｎｏｌ  ＳＫ−２００（アクリル樹脂エマルション，Ｓａｉｄｅｎ  Ｃｈｅｍｉｃａｌ  Ｉｎｄｕｓｔｒｙ  Ｃｏ．，  Ｌｔｄ．製），及びＺａｉｋｔｈｅｎｅ  Ｌ（アクリル樹脂エマルション，Ｓｕｍｉｔｏｍｏ  Ｓｅｉｋａ  Ｃｈｅｍｉｃａｌｓ  Ｃｏ．，  Ｌｔｄ．製），ＤＳＭネオレジンのアクリルコポリマーエマルション，例えばＮｅｏＣｒｙｌ商品ライン，特にアクリルスチレンコポリマーエマルションＮｅｏＣｒｙｌ  Ａ−６６２，  ＮｅｏＣｒｙｌ  Ａ−１１３１，  ＮｅｏＣｒｙｌ  Ａ−２０９１，  ＮｅｏＣｒｙｌ  Ａ−５５０，  ＮｅｏＣｒｙｌ  ＢＴ−１０１，  ＮｅｏＣｒｙｌ  ＳＲ−２７０，  ＮｅｏＣｒｙｌ  ＸＫ−５２，  ＮｅｏＣｒｙｌ  ＸＫ−３９，  ＮｅｏＣｒｙｌ  Ａ−１０４４，  ＮｅｏＣｒｙｌ  Ａ−１０４９，  ＮｅｏＣｒｙｌ  Ａ−１１１０，  ＮｅｏＣｒｙｌ  Ａ−１１２０，  ＮｅｏＣｒｙｌ  Ａ−１１２７，  ＮｅｏＣｒｙｌ  Ａ−２０９２，  ＮｅｏＣｒｙｌ  Ａ−２０９９，  ＮｅｏＣｒｙｌ  Ａ−３０８，  ＮｅｏＣｒｙｌ  Ａ−４５，  ＮｅｏＣｒｙｌ  Ａ−６１５，  ＮｅｏＣｒｙｌ  ＢＴ−２４，  ＮｅｏＣｒｙｌ  ＢＴ−２６，  ＮｅｏＣｒｙｌ  ＢＴ−３６，  ＮｅｏＣｒｙｌ  ＸＫ−１５，  ＮｅｏＣｒｙｌ  Ｘ−１５１，  ＮｅｏＣｒｙｌ  ＸＫ−２３２，  ＮｅｏＣｒｙｌ  ＸＫ−２３４，  ＮｅｏＣｒｙｌ  ＸＫ−２３７，  ＮｅｏＣｒｙｌ  ＸＫ−２３８−ＮｅｏＣｒｙｌ  ＸＫ−８６，  ＮｅｏＣｒｙｌ  ＸＫ−９０及びＮｅｏＣｒｙｌ  ＸＫ−９５。但し水分散性樹脂エマルションは、これらの例に限定されない。
【００５０】
本発明のインク内に添加された水分散性樹の含有量は、インクの合計重量に基づき、好ましくは１乃至４０重量％，且つより好ましくは１．５乃至３０重量％，且つさらにより好ましくは２乃至２５重量％である。さらにより好ましくは、固形分としてインクジェットインク内に含有される水分散性樹脂の含有量は、合計インク組成物に対して２．５重量％乃至１５重量％，及びより好ましくは３重量％乃至７重量％である。
【００５１】
一実施形態において本発明によるインク組成物は、相互に混合された、上に挙げた合成樹脂，合成コポリマー樹脂及び天然ポリマー化合物２以上の水分散性樹脂を有する。
【００５２】
界面活性剤
インク吐出特性及び／もしくは記録媒体の表面の湿潤性、及び形成された画像の画像密度及び色飽和を改善するため、且つその中のホワイトスポットを減らす、本発明のインクは界面活性剤を含有することが好ましい。記録媒体の表面上のインクの拡がりを改善するため、及び水たまり化(puddling)を減らすため、インク組成物の（１０Ｈｚで測定された）動的表面張力を表面活性剤により３５ｍＮ／ｍ以下，好ましくは３４ｎＮ／ｍ以下，より好ましくは３３ｍＮ／ｍ以下，さらにより好ましくは３２ｍＮ／ｍ以下に調節することが好ましい。インク組成物の性的表面張力は、好ましくは（０．１Ｈｚで測定された）３０ｍＮ／ｍ未満．である。
【００５３】
界面活性剤の例は、具体的に限定されない。以下のものが挙げられる。
【００５４】
界面活性剤の例は、ノニオン性界面活性剤，カチオン性界面活性剤，アニオン性界面活性剤，両性界面活性剤，特にベタイン界面活性剤，シリコーン界面活性剤，及びフルオロケミカル界面活性剤を包含する。特に、表面張力を３０ｍＮ／ｍ以下に減らすことが可能な、アセチレン界面活性剤，シリコーン界面活性剤及びフルオロケミカル界面活性剤から選択された少なくとも１つが好ましく使用される。
【００５５】
カチオン性界面活性剤の例は、以下のものを包含する：  脂肪族アミン塩，脂肪族第４アンモニウム塩，ベンザルコニウム塩，塩化ベンゼトニウム，ピリジニウム塩，イミダゾリニウム塩。
【００５６】
アニオン性界面活性剤の例は以下のものを包含する：  ポリオキシエチレンアルキルエーテル酢酸塩，ドデシルベンゼンスルホン酸塩，ラウリン酸塩，及びポリオキシエチレンアルキルエーテルスルファートの塩，脂肪族酸石鹸，Ｎ−アシル−Ｎ−メチルグリシン塩，Ｎ−アシル−Ｎ−メチル−β−アラニン塩，Ｎ−アシルグルタマート，アシル化ペプチド，アルキルスルホン酸塩，アルキルベンゼンスルホン酸塩，アルキルナフタレンスルホン酸塩，ジアルキルスルホスクシナート（例えば、ジオクチルスルホコハク酸ナトリウム（ＤＳＳ）；別名：ドキュセートナトリウム，Ａｅｒｏｓｏｌ  ＯＴ及びＡＯＴ），アルキルスルホアセタート，α−オレフィンスルホナート，Ｎ−アシル−メチルタウリン，スルホン化オイル，高級アルコールスルファート塩，第２高級アルコールスルファート塩，アルキルエーテル知りファート，第２高級アルコールエトキシスルファート，ポリオキシエチレンアルキルフェニルエーテルスルファート，モノグリスルファート，脂肪族酸アルキロールアミドスルファート塩，アルキルエーテルホスファート塩及びアルキルホスファート塩。
【００５７】
両性界面活性剤の例は以下のものを包含する：  カルボキシベタインタイプ，スルホベタインタイプ，アミノカルボキシラート塩及びイミダゾリウムベタイン。
【００５８】
ノニオン性界面活性剤の例は、以下のものを包含する：  ポリオキシエチレンアルキルエーテル，ポリオキシプロピレンポリオキシエチレンアルキルエーテル，ポリオキシエチレン第２アルコールエーテル，ポリオキシエチレンアルキルフェニルエーテル，ポリオキシエチレンステロールエーテル，ポリオキシエチレンラノリン誘導体ポリオキシエチレンポリオキシプロピレンアルキルエーテル，ポリオキシエチレンアルキルエステル，ポリオキシエチレングリセリン脂肪族酸エステル，ポリオキシエチレンひまし油，水素化ひまし油，ポリオキシエチレンソルビトール脂肪族酸エステル，ポリエチレングリコール脂肪族酸エステル，脂肪族酸モノグリセリド，ポリグリセリン脂肪族酸エステル，ソルビット脂肪族酸エステル，ポリオキシエチレンソルビタン脂肪族エステル，プロピレングリコール脂肪族酸エステル，甘藷糖脂肪族酸エステル，脂肪族酸アルカノールアミド，ポリオキシエチレンアルキルアミド，ポリオキシエチレン脂肪族酸アミド，ポリオキシエチレンアルキルアミン，アルキルアミンオキシド，アセチレングリコール，エトキシル化アセチレングリコール，アセチレンアルコール。
【００５９】
表面張力を減らすという視点から、これら界面活性剤の一部は、  フッ素原子もしくはケイ素原子によりさらに置換されることが好ましい。
【００６０】
フルオロケミカル界面活性剤として２乃至１６フッ素置換炭素原子を有する界面活性剤が好ましく、４乃至１６フッ素置換炭素原子を有する界面活性剤がより好ましい。フッ素置換炭素原子の数が２未満であると、フルオロケミカル界面活性剤に特有の効果は得られないかもしれない。フッ素置換炭素原子の数が１６以上であると、貯蔵安定性における劣化等が起こり得る。
【００６１】
フルオロケミカル界面活性剤の例は、ノニオン性フルオロケミカル界面活性剤，アニオン性フルオロケミカル界面活性剤，及び両性フルオロケミカル界面活性剤を包含する。
【００６２】
ノニオン性  フルオロケミカル  界面活性剤の例は、パーフルオロアルキルリン酸エステル化合物，パーフルオロアルキル  エチレンオキシド付加物，  及び  側鎖としてパーフルオロアルキルエーテル基を有するポリオキシアルキレンエーテルポリマー化合物  を包含する。これらの内、側鎖としてパーフルオロアルキルエーテル基を有するポリオキシアルキレンエーテルポリマー化合物は低発泡性なので、好ましい。
【００６３】
フルオロケミカル界面活性剤として、市販のプロダクトを使用してよい。
【００６４】
市販のプロダクトの例は、ＳＵＲＦＬＯＮ  Ｓ−Ｈｌ，  Ｓ−１１２，  Ｓ−１１３．  Ｓ−１２１，  Ｓ−１３１，  Ｓ−１３２，  Ｓ−１４１及びＳ−１４５（全てＡｓａｈｉ  Ｇｌａｓｓ  Ｃｏ．，  Ｌｔｄ．製），ＦＬＵＯＲＡＤ  ＦＣ−９３，  ＦＣ−９５，  ＦＣ−９８，  ＦＣ−１２９，  ＦＣ−１３５，  ＦＣ−１７０Ｃ，  ＦＣ−４３０及びＦＣ−４３１  （全てＳｕｍｉｔｏｍｏ  ３Ｍ  Ｌｉｍｉｔｅｄ製），ＭＥＧＡＦＡＣ  Ｆ−４７０，  Ｆ−１４０５及びＦ−４７４（全てＤａｉｎｉｐｐｏｎ  Ｉｎｋ  Ｃｈｅｍｉｃａｌ  Ｉｎｄｕｓｔｒｉｅｓ  Ｃｏ．，  Ｌｔｄ．製），ＺＯＮＹＬ  ＴＢＳ，  ＦＳＰ，  ＦＳＡ，  ＦＳＮ−１００，  ＦＳＮ，  ＦＳＯ−１００，  ＦＳＯ，  ＦＳ−３００及びＵＲ（全てＥ．  Ｉ．  ｄｕ  Ｐｏｎｔ  ｄｅ  Ｎｅｍｏｕｒｓ  ａｎｄ  Ｃｏｍｐａｎｙ製），ＦＴ−１１０，  ＦＴ−２５０，  ＦＴ−２５１，  ＦＴ−４００Ｓ，  ＦＴ−  １５０及びＦＴ−４００ＳＷ（全てＮｅｏｓ  Ｃｏｍｐａｎｙ  Ｌｉｍｉｔｅｄ製），及びＰＯＬＹＦＯＸ  ＰＦ−１３６Ａ，  ＰＦ−１５６Ａ，  ＰＦ−１５１Ｎ，  ＰＦ−１５４，及びＰＦ−１５９（全てＯＭＮＯＶＡ  Ｓｏｌｕｔｉｏｎｓ  Ｉｎｃ．製）を包含する。これらの内ＺＯＮＹＬ  ＦＳ−３００（Ｅ．  Ｉ．  ｄｕ  Ｐｏｎｔ  ｄｅ  Ｎｅｍｏｕｒｓ  ａｎｄ  Ｃｏｍｐａｎｙ製），  ＦＴ−１１０，  ＦＴ−２５０，  ＦＴ−２５１，  ＦＴ−４００Ｓ，  ＦＴ−１５０，  ＦＴ−４００ＳＷ（Ｎｅｏｓ  Ｃｏｍｐａｎｙ  Ｌｉｍｉｔｅｄ製），及びＰＯＬＹＦＯＸ  ＰＦ−１５１Ｎ  （ＯＭＮＯＶＡ  Ｓｏｌｕｔｉｏｎｓ  Ｉｎｃ．製）は、これらが印刷品質、特に発色性の及び染色レベリングに優れている点において好ましい。
【００６５】
シリコーン界面活性剤は特に限定されず、意図された用途に応じて適当に選択されてよい。
【００６６】
シリコーン界面活性剤の例は、側鎖変性ポリジメチルシロキサン，両末端変性ポリジメチルシロキサン，片末端変性ポリジメチルシロキサン，及び側鎖／両末端変性ポリジメチルシロキサンを包含する。変性基としてポリオキシエチレン基もしくはポリオキシエチレンポリオキシプロピレン基を有する、ポリエーテル変性シリコーン界面活性剤は特に好ましい。なぜならばこれらは、水系界面活性剤として優れた物理特性を示すからである。
【００６７】
シリコーン界面活性剤を好適に合成してよく、又は市販品を使用してよい。市販品は、ＢＹＫ  Ｃｈｅｍｉｅ  ＧｍｂＨ，  Ｓｈｉｎ−Ｅｔｓｕ  Ｃｈｅｍｉｃａｌ  Ｃｏ．，  Ｌｔｄ．，  ＴＯＲＡＹ  Ｄｏｗ  Ｃｏｒｎｉｎｇ  シリコーン  Ｃｏ．，  Ｌｔｄ．，  Ｎｉｈｏｎ  エマルション  Ｃｏ．，  Ｌｔｄ．，  Ｋｙｏｅｉｓｈａ  Ｃｈｅｍｉｃａｌ  Ｃｏ．，  Ｌｔｄ．，その他から容易に得られる。
【００６８】
ポリエーテル変性シリコーン界面活性剤は特に限定されず、意図された用途に応じて適当に選択されてよい。その例は、式１：
【化２】
2016513740.tif 000004
（式中、Ｘ  ＝  −Ｒ（Ｃ２Ｈ４Ｏ）ａ（Ｃ３Ｈ６Ｏ）ｂＲ’）
で表されるポリアルキレンオキシド構造がジメチルポリシロキサンのＳｉ部分側鎖内で誘発される化合物を包含する。
【００６９】
式１において、ｘ，ｙ，ａ及びｂは各々整数であり；Ｒはアルキル基を表し、且つＲ’はアルキレン基を表す。
【００７０】
一実施形態においてシリコーン界面活性剤は、式２：
【化３】
2016513740.tif 000005
（式中、ｍは１乃至２５、好ましくは１乃至２０、より好ましくは２乃至１５の範囲の整数であり、ｎは１乃至１０、好ましくは１乃至８、より好ましくは１乃至５の範囲の整数であり、Ｒｇは−Ｈ及びアルキル（例えばメチル）から選択され得る末端基である）
で示される一般式を有するエトキシル化シロキサンである。
【００７１】
一実施形態において、本発明によるインク組成物内の界面活性剤として使用されるエトキシル化シロキサンの数平均分子量（Ｍｎ）は、３００ｇ／ｍｏｌ乃至１０００ｇｒ／ｍｏｌ，好ましくは３５０ｇｒ／ｍｏｌ乃至９５０ｇｒ／ｍｏｌ，より好ましくは４５０ｇｒ／ｍｏｌ乃至８５０ｇｒ／ｍｏｌの範囲内にある。
【００７２】
一実施形態において、本発明によるインク組成物内の界面活性剤として使用されるエトキシル化シロキサンの重量平均分子量（Ｍｗ）は、６００ｇ／ｍｏｌ乃至１６００ｇｒ／ｍｏｌ，好ましくは７００ｇｒ／ｍｏｌ乃至１５００ｇｒ／ｍｏｌ，より好ましくは８００ｇｒ／ｍｏｌ乃至１４００ｇｒ／ｍｏｌの範囲内にある。
【００７３】
一実施形態において、本発明によるインク組成物内の界面活性剤として使用されるエトキシル化シロキサンの多分散要因（Ｄ＝Ｍｗ／Ｍｎ）は、１乃至２，好ましくは１乃至１．９５，より好ましくは１．３乃至１．９の範囲内にある。
【００７４】
一実施形態において、エトキシル化シロキサン界面活性剤は、ＢＹＫ  ３４８，  ＢＹＫ  ３４９，  Ｓｉｌｗｅｔ  Ｌ−７７及びＴｅｇｏｗｅｔ  ２４０からなるグループから選択される。これら界面活性剤の構造的特性は、式２に関する表Ａに示される。
【００７５】
表Ａ：  式４を満足するシロキサン表面活性剤の構造的特性
【表１】
2016513740.tif 000006
【００７６】
１）  ＳＥＣ法で決定（実験部分を参照）
２）  ＮＭＲ法で決定（実験部分を参照）
３）  ＬＣ−ＭＳ法で決定（実験部分を参照）
【００７７】
ポリエーテル変性シリコーン界面活性剤として市販品を使用してよい。
【００７８】
市販品の例は、ＫＦ−６１８，  ＫＦ−６４２  ａｎｄ  ＫＦ−６４３（Ｓｈｉｎ−Ｅｔｓｕ  Ｃｈｅｍｉｃａｌ  Ｃｏ．，  Ｌｔｄ．製）；ＥＭＡＬＥＸ−ＳＳ−５６０２及びＳＳ−１９０６ＥＸ（Ｎｉｈｏｎ  Ｅｍｕｌｓｉｏｎ  Ｃｏ．，  Ｌｔｄ．製）；ＦＺ−２１０５，  ＦＺ−２１１８，  ＦＺ−２１５４，  ＦＺ−２１６１，  ＦＺ−２１６２，  ＦＺ−２１６３及びＦＺ−２１６４  （ＴＯＲＡＹ  Ｄｏｗ  Ｃｏｒｎｉｎｇ  Ｓｉｌｉｃｏｎｅ  Ｃｏ．，  Ｌｔｄ．製）；及びＢＹＫ−３３，  ＢＹＫ  ３３１，  ＢＹＫ  ３４１，  ＢＹＫ  ３４８，  ＢＹＫ  ３４９，  ＢＹＫ  ３４５５，  ＢＹＫ−３８７（ＢＹＫ  Ｃｈｅｍｉｅ  ＧｍｂＨ製）；Ｔｅｇｏｗｅｔ  ２４０，  Ｔｅｇｏｗｅｔ  ２４５，  Ｔｅｇｏｗｅｔ  ２５０，  Ｔｅｇｏｗｅｔ  ２６０（Ｅｖｏｎｉｋ製）；Ｓｉｌｗｅｔ  Ｌ−７７（Ｓａｂｉｃ製）を包含する。
【００７９】
一実施形態において、第１の界面活性剤及び／もしくは第２の界面活性剤及び／もしくは第３の界面活性剤，及び／もしくは第４の界面活性剤は、式１で表されるポリエーテル変性シリコーン界面活性剤のグループから互いに独立選択されたものある。
【００８０】
一実施形態において、第１の界面活性剤及び／もしくは第２の界面活性剤及び／もしくは第３の界面活性剤，及び／もしくは第４の界面活性剤は、以下の市販の界面活性剤から互いに独立に選択されたものである：  ＫＦ−６１８，  ＫＦ−６４２  及び  ＫＦ−６４３  （Ｓｈｉｎ−Ｅｔｓｕ  Ｃｈｅｍｉｃａｌ  Ｃｏ．，  Ｌｔｄ．製）；  ＥＭＡＬＥＸ−ＳＳ−５６０２  及び  ＳＳ−  １９０６ＥＸ  （Ｎｉｈｏｎ  エマルション  Ｃｏ．，  Ｌｔｄ．製）；  ＦＺ−２１０５，  ＦＺ−２１１８，  ＦＺ−２１５４，  ＦＺ−２１６１，  ＦＺ−２１６２，  ＦＺ−２１６３  及び  ＦＺ−２１６４  （ＴＯＲＡＹ  Ｄｏｗ  Ｃｏｒｎｉｎｇ  シリコーン  Ｃｏ．，  Ｌｔｄ．製）；及びＢＹＫ−３３，  ＢＹＫ  ３３１，  ＢＹＫ  ３４１，  ＢＹＫ  ３４８，  ＢＹＫ  ３４９，  ＢＹＫ  ３４５５，  ＢＹＫ−３８７（ＢＹＫ  Ｃｈｅｍｉｅ  ＧｍｂＨ製）；  Ｔｅｇｏｗｅｔ  ２４０，  Ｔｅｇｏｗｅｔ  ２４５，  Ｔｅｇｏｗｅｔ  ２５０，  Ｔｅｇｏｗｅｔ  ２６０  （Ｅｖｏｎｉｋ製）；及びＳｉｌｗｅｔ  Ｌ−７７  （Ｓａｂｉｃ製）。
【００８１】
このセクションにおいて挙げられた全ての界面活性剤は、単独で使用され、又は複数の組合せで使用されてよい。
【００８２】
インクジェットインク内に含有される界面活性剤の合計含有量は、合計インク組成に対して好ましくは０．０１重量％乃至３．０重量％，及びより好ましくは０．５重量％乃至２重量％である。界面活性剤の含有量が０．０１重量％未満であるとき、界面活性座を添加する効果は、実質的に低下しているか、又はわずかであるかもしれない。界面活性剤の含有量が３．０重量％以上であるとき、記録媒体への透過性は必要以上に高いかもしれず、画像密度の劣化及びインクの裏抜けの発生を起こすかもしれない。
【００８３】
ブリーディングのメカニズム
いずれの理論にも縛られることを望まないが、少なくとも２つのインクを有する本発明によるインクセットの場合、本発明によるインクセットのインクに置いて界面活性剤もしくは界面活性剤の混合物を使用することにより、ブリーディングは制御され得ると思われる。
【００８４】
界面活性剤とは、サーファクタント（ｓｕｒｆａｃｅ  ａｃｔｉｖｅ  ａｇｅｎｔｓ）である。界面活性剤は、２つの相（例えばインク−空気，インク−インクもしくはインク−印刷媒体）の間の界面において活性であり得る。
【００８５】
図１において、２つのインク２５及び２５’が、印刷媒体２４の表面上で組み合わされる場合、作用すべき界面活性剤について異なる界面が示されている。図１Ａは、インク２５は印刷媒体２４の表面の最上部に印刷され、インク２５’はインク２５の最上部に印刷される状況を表す。図１Ｂは、インク２５及び２５’は両方とも印刷媒体２４の表面の最上部に印刷される状況を表す。２６は空気を表す。
【００８６】
一般に、インクの表面張力は、それぞれのインク２５及び２５’についてインク−空気界面２１及び２１’の表面張力を測定することにより特徴化される。先行技術に置いて、インク２５とインク２５’との間のブリーディングは、インク−空気の界面２１及び界面２１’における表面張力に関連する。
【００８７】
本発明において、インク−空気界面２１及び／もしくは２１’に対しては作用するように設計されていないが、インク−インク界面２２及び／もしくはインク−印刷媒体界面２３及び２３’に対する（主として、但し非排他的な）それらの作用を有する界面活性剤が使用される。このような界面活性剤の添加は、その具体的界面（即ち界面２２，及び／もしくは２３，及び／もしくは２３’）における表面張力を下げ、且つインク−空気界面２１’及び場合によりインク−空気界面２１における表面張力を全くもしくは殆ど下げないかもしれない。このような表面活性剤の含有量を下げることは、逆のことをするかもしれない。インクセット全体のレシピを仮定するならば、これらの界面活性剤は同一（タイプ）のものである必要がない。高活性（又は、本発明による適合を必要とするインクセット内のインクを適合するのに、同一タイプの界面活性剤が使用されるとき、界面活性剤の濃度）の界面活性剤を有するインクから、低活性（又は上に記載された場合における濃度）の界面活性剤を有するインク内へのブリーディングであり得る。
【００８８】
よって、最も薄い色を有するインクに、最高活性（濃度）の界面活性剤を付与することにより、この色は、他の全ての色内にブリードするかもしれない。最も濃い色を有するインクに、最低活性（濃度）の界面活性剤を付与することにより、他の全ての色は、最も濃い色内にブリードするかもしれない。
【００８９】
ブリーディングは除去されないけれども、プリント内でそれは見えない／見えにくい。色配列に（殆ど）無関係であることもまた、本発明に該当する
【００９０】
実験
測定テクニックの説明
ブリーディング
ブリーディングは、バックグラウンドとして無色の（即ちバックグラウンドは印刷媒体１である）第１の１７ピクセル直線２（即ち１７ピクセルに対応する幅を有する直線）と、別の色のバックグラウンド３を有する第２の１７ピクセル直線２’との間の、線幅における差として測定される（図２参照）。画像は、ＩｍａｇｅＸｐｅｒｔのソフトウェアで加工される。その場合、線幅が決定される。印刷している間、登録から独立であるために、直線は、バックグラウンドを超えて(over)印刷され、且つバックグラウンド内には(in)印刷されないので、カバー範囲は１００％ではなく局所的に２００％である。ブリーディングレベルは、  バックグラウンドを有しない直線と、バックグラウンドとして別の色を有する同一の線との間の線幅における差である。
【００９１】
プリントは、全て、ドットサイズ３（即ち約１２ｐＬ液滴）を使用して、Ｋｙｏｃｅｒａ  ＫＪ４−Ｓｅｒｉｅｓ  ６００ｄｐｉプリントヘッドによりなされる。
【００９２】
表面張力
表面張力は、（最大）泡圧法によるＳｉｔａ泡圧式表面張力計（ｍｏｄｅｌ  ＳＩＴＡ  ｏｎｌｉｎｅ  ｔ６０）を使用して測定される。被験液体（例えば本発明によるインク）の表面張力は、特に指示がない限り３０℃で測定される。特に記載されない限り、静的表面張力は、気泡周波数０．２ｓ−１で決定される（これは、気泡寿命５０００ｍｓに対応する）。特に記載されない限り、動的表面張力は気泡周波数２０ｓ−１で決定される（これは、気泡寿命５０ｍｓに対応する）。
【００９３】
この方法により測定された表面張力は、  図１Ａ及び１Ｂに示されたインク−空気界面の表面張力の代表である。
【００９４】
材料
印刷媒体
実験に使用された媒体は、表１に挙げられている。第１のカラム中の文字は、例えば図４，６，８及び１１に示されるように実験結果の表示のためのものである。第２のカラムにおいて、サプライヤ及び印刷媒体のタイプが記載される。：
【００９５】
表１：  実験に使用された印刷媒体
【表２】
2016513740.tif 000007
【００９６】
インク：
表２及び表３に示されたインクは、構成成分を混合することにより製造された。その場合、インク内のそれぞれの成分の含有量は表２,３Ａ及び３Ｂに示される通りであった。表２は、実施例１乃至３で使用されたインク組成物を表す。表３Ａは、本発明によるインクセットはインクＫ２，Ｃ，Ｍ，Ｙ２の組合せにより表されてよいことを表す。（実施例４）。本発明によるものではないインクセットはインクＫ１，Ｃ，Ｍ及びＹ１の組合せにより表されてよい（比較実施例Ａ）。表３Ｂは、本発明による２つのインクセットは、インクＫ３，Ｃ，Ｍ（表３Ａ）及びＹ３（実施例５）の組合せにより、及びＫ３，Ｍ’及びＹ４（実施例６）の組合せにより表されてよいことを表す。
【００９７】
表２：  標準シアン及びマゼンタインク（それぞれＣ０及びＭ０）の組成物及び余分の界面活性剤（Ｍ＋）及び少ない界面活性剤（Ｍ−）を有するマゼンタインク。全含有量は、合計インク組成に対する重量％（ｗｔ％）である。
【表３】
2016513740.tif 000008
【００９８】
表３Ａ：  インク組成物の組成。Ｋ１，Ｋ２＝ブラック，Ｃ＝シアン，Ｍ＝マゼンタ，Ｙ１，Ｙ２＝イエロー。全含有量は、合計インク組成に対する重量％（ｗｔ％）である。
【表４】
2016513740.tif 000009
【００９９】
１）  気泡寿命６０００ｍｓにおける実施例インクの静的表面張力は、気泡寿命５０００ｍｓにおける静的表面張力に類似する。
【０１００】
表３Ｂ：  インク組成物Ｋ３，Ｋ４＝ブラック，Ｍ’＝マゼンタ，Ｙ３及びＹ４＝イエローの組成。全含有量は、合計インク組成に対する重量％（ｗｔ％）である。
【表５】
2016513740.tif 000010
【０１０１】
１）気泡寿命６０００ｍｓにおける実施例インクの静的表面張力は、気泡寿命５０００ｍｓにおける静的表面張力に類似する。
【０１０２】
実施例１
実施例１においてシアン（表２のＣ０）及びマゼンタ（表２のＭ０もしくはＭ＋もしくはＭ−）インク組成物を使用した。なぜならばこれらは、明度（Ｌ＊）に関して比較可能であり、従ってマゼンタ内のシアンブリーディング及びシアン内のマゼンタブリーディングの両方を見ることができるからだ。シアンインク組成物は変更されないままであり、Ｃ０で表される。
【０１０３】
ブリーディングについての効果を見るため、マゼンタインク組成物は界面活性剤濃度で変化させる（Ｍ０，Ｍ＋及びＭ−）。この第１の実施例においてマゼンタは最初に印刷される。よって、バックグラウンド３は最初に印刷され、マゼンタ着色される。その後、シアン着色直線２及び２’が印刷される。
【０１０４】
気泡寿命５０ｍｓの場合（気泡周波数２０ｓ−１）、インク−空気界面における測定表面張力（図１の２１及び２１’を参照）は、Ｃインク、Ｍインク，余分の界面活性剤を有するＭインク及び界面活性剤が少ないＭインクについてそれぞれ３３．０，３３．４，３２．９及び３５．０ｍＮ／ｍである。
気泡寿命５０００ｍｓの場合（気泡周波数０．２ｓ−１）、これら表面張力値は、それぞれ２６．９，２６．８，２６．４ａｎｄ２８．２ｍＮ／ｍである。
【０１０５】
図３Ａ乃至３Ｃに示される写真において、マゼンタ領域内のシアン直線についてブリーディングが見える。その場合、図３Ａは、表２のＭ０インクであるＣ０インクと同量の界面活性剤を有するマゼンタインクとの組み合わせを表し；図３Ｂは、余分の界面活性剤を有するマゼンタインクとの組み合わせを表し（Ｍ＋）；図３Ｃは、少ない界面活性剤を有するマゼンタインクとの組み合わせを表す（Ｍ−）。
【０１０６】
図４において、測定されたブリーディングレベルは、これらの状況について表される（即ち、上に記載の図３Ａ乃至３Ｃに示す通り）。図４のグラフのｘ軸上の大文字は、表１に挙げた媒体タイプを表す。ｙ軸上で、上に示したように印刷され決定された線幅間の差がマイクロメートルで示される。
【０１０７】
同量の界面活性剤を有するシアン及びマゼンタインクの組合せの場合、図４におけるブラックバーにより表されるように、ブリーディングが見え、且つ印刷媒体に依存して５０μｍ乃至２００μｍと測定される。図３Ｂから、マゼンタインク内に界面活性剤を添加すること、及び従ってＭ＋インクを得ることは、Ｍ＋内へのＣ０ブリーディングレベルを抑制するかもしれないと結論できる。事実、図３Ａ及び３Ｂを比較することによりそれが見られ、また、線幅が減少することが測定され（図４の陰影のついたバー参照）、従ってＣ０内へのＭ＋ブリーディングが、その逆の順番ではなく存在する（ブリーディングレベル約−１００μｍ）。図３Ｃから、マゼンタインクで省略される（ｌｅａｖｉｎｇ  ｏｕｔ）表面活性剤は、Ｃ０からＭ−内へのブリーディング量を猛烈に増やすかもしれないと結論できる。図３Ｃ及び３Ａの写真を比較することにより、このことが見られ、また測定され（媒体Ａの場合約１５００μｍ、媒体Ｂの場合約１１００μｍ及び媒体Ｃの場合約７００μｍ）、且つ図４における白いバーにより表される。
【０１０８】
実施例２
図５及び図６において同種のデータが示される。但し、今度はシアン領域内のマゼンタ直線のブリーディングについてである。よってバックグラウンド３は最初に印刷され、シアン着色される。その後、マゼンタ着色直線２及び２’が印刷される。
【０１０９】
図５Ａから、Ｍ０直線がＣ０領域内へブリードすることが明らかである。Ｃ０内へのＭ０ブリーディングレベルは、図６内のブラックバーにより表される。図５Ｂから、Ｍ０インクに余分の界面活性剤を添加すること（及び従って表２に示されるＭ＋インクを得ること）は、ブリーディングのレベルを増やすかもしれないことが見られる。このことは、図６に示される測定からは明らかではなく、それは、この状況の場合、直線の視覚エッジは、ソフトウェアで決定されたエッジよりもさらに離れているという事実のせいかもしれない。Ｍ＋とＣ０との間のブリーディングのレベルは、図６の陰影のついたバーにより表される。図５Ｃから、マゼンタ内の界面活性剤量を減らすこと（及び従って表２に示されるＭ−インクを得ること）は、シアン内のマゼンタブリーディングを減らすかもしれないことが推論される。事実、Ｍ−内へのＣ０ブリーディングが見える。この実施例におけるＭ＋とＣ０との間のブリーディングのレベルは、図６の白いバーにより表される。図６のグラフのｘ軸上の大文字は、表１に挙げた媒体タイプを表す。ｙ軸上で、上に示したように印刷され決定された線幅間の差がマイクロメートルで示される。
【０１１０】
従って上の（実施例１及び２）から、表面活性剤添加は、他のインク内へのそのインクのブリーディングを増やすかもしれないことが明らかになる。界面活性剤の量を減らすことは、このインク内への別のインクのブリーディングを増やすかもしれない。
【０１１１】
実施例１及び２で使用されたインクセットにおいて、Ｄｙｎｏｌ  ６０７（Ａｉｒ  Ｐｒｏｄｕｃｔｓから得られるエトキシル化アセチレン系界面活性剤）を、インク−空気界面において主として活性である界面活性剤として使用した。Ｔｅｇｏｗｅｔ２４０及びＢｙｋ３４８（いずれも、それぞれＥｖｏｎｉｋ及びＢｙｋから得られる、いずれもエトキシル化シロキサン系界面活性剤）両方を、インク−インク界面及び／もしくはインク／媒体界面に対して（主として）作用する界面活性剤として使用した。後者２つを変化させることは、界面活性剤がインク−空気界面の表面張力に対して（主として）作用しない限り、ブリーディングが界面活性剤の濃度により操縦され得ることを表す。
【０１１２】
実施例３
本実施例において表２に示されるＣ０及びＭ＋インクを使用した。同一印刷サンプルが作成されたが、今度はシアンがマゼンタの前に印刷される。よってバックグラウンド３は最初に印刷され、シアン着色される。その後、マゼンタ着色直線２及び２’が印刷される。
【０１１３】
図７において、Ｃ０内におけるＭ＋ブリーディングが見て取れる。事実、それは図５Ｂの写真と匹敵する。
【０１１４】
図８において、インク組み合わせＣ０及び余分の界面活性剤を有するマゼンタ（Ｍ＋）について、測定された値が示される。両者は、最初に印刷されたＣ０（図８における黒く着色されたバー及び白く着色されたバー）を有し、且つ両者は、Ｍ＋領域内のＣ０直線のブリーディングの場合（図８における黒く着色されたバー及び水平に陰影のついたバー）及びＣ０領域内のＭ＋直線のブリーディングの場合（図８における白く着色されたバー及び斜めに陰影のついたバー）である。既述のように、Ｃ０領域内のＭ＋直線の場合の測定値は、視覚的解釈よりも小さい。これを考慮すると、Ｍ＋がＣ０内にブリードすること、及び色配列はこの状況に影響しないことが見える。
【０１１５】
図８のグラフのｘ軸上の大文字は、表１に挙げた媒体タイプを表す。ｙ軸上で、上に示したように印刷され決定された線幅間の差がマイクロメートルで示される。
【０１１６】
比較実施例Ａ：  本発明によるものではないインクセットのブリーディング性能
本発明の基準を満たさないインクセットを形成するため、表３のインクＣ，Ｍ，Ｙ１及びＫ１を組み合わせた。組み合せた。このインクセットに置いて、全てのインクは、同一界面活性剤の同一量を含有した。インクを印刷するのに使用した色配列はＹＭＣＫであった。
【０１１７】
テストプリントの写真を表す図９から、多数の色組み合わせの場合のブリーディングレベルが見られる。表４は、図９に示されるパーツ１００乃至１０７の色組み合わせを説明する。
【０１１８】
この比較実施例によるインクセットにおけるインクの大抵の組合せについて、ブリーディングが明らかに目に見える。
【０１１９】
表４：  図９，１０，１２及び１３の領域及び直線カラー組み合わせ
【表６】
2016513740.tif 000011
【０１２０】
実施例４：  本発明によるインクセットのブリーディング性能
比較実施例Ａにおいて使用されたＫ１及びＹ１インクを、表３Ａに示されるように適合させた。その場合、Ｋ２インクは、より少なくエトキシル化シロキサン界面活性剤（本実施例においてＴｅｇｏｗｅｔ  ２４０）を含有し、且つＹ２インクは、より多くエトキシル化シロキサン界面活性剤を含有する。ブリーディングのレベルは、図１０において視覚的に見える。図９に示される状況と比較して、大抵の色組み合わせにおけるブリーディング性能は改善したことが見られる。
【０１２１】
比較のため、上に記載された方法に従い、ＩｍａｇｅＸｐｅｒｔソフトウェアを使用して、比較実施例Ａ及び実施例４両方の場合のブリーディングレベルも測定された。結果は図１１に示す。図１１のグラフのｘ軸上の大文字は、表１に挙げた媒体タイプを表す。ｙ軸上で、上に示したように印刷され決定された線幅間の差がマイクロメートルで示される。ｘ軸における数字は、表４に挙げられるカラー組み合わせに対応する。
【０１２２】
本実施例によるインクセットのインク組み合わせのブリーディングのレベルは（図１１における白いバー）、本発明によるものではないインクセットのインクのインク組み合わせのブリーディングのレベル（図１１における黒いバー）と比べて、猛烈に改善したことが明らかに見られる。シアンインクとマゼンタインクのみを有する組み合わせは改善しなかったが、何もそこで変化しなかったからである。それは期待されてもいなかった。
【０１２３】
実施例５：  本発明によるインクセットのブリーディング性能
比較実施例Ａにおいて使用されたＫ１及びＹ１インクを、表３Ｂに示されるように適合させた。その場合、Ｋ３インクは、より少なくエトキシル化シロキサン界面活性剤（本実施例においてＴｅｇｏｗｅｔ  ２４０）を含有し、且つＹ３インクは、より多くエトキシル化シロキサン界面活性剤を含有する。ブリーディングのレベルは、図１２において視覚的に見られる。図９に示される状況と比較して、大抵の色組み合わせにおけるブリーディング性能は改善したことが見られる。
【０１２４】
比較のため、上に記載された方法に従い、ＩｍａｇｅＸｐｅｒｔソフトウェアを使用して、比較実施例Ａ及び実施例５両方の場合のブリーディングレベルも測定された。結果は図１４に示す。図１３のグラフのｘ軸上の大文字は、表１に挙げた媒体タイプを表す。ｙ軸上で、上に示したように印刷され決定された線幅間の差がマイクロメートルで示される。ｘ軸における数字は、表４に挙げられるカラー組み合わせに対応する。
【０１２５】
本実施例によるインクセットのインク組み合わせのブリーディングのレベルは（図１４における陰影のついたバー、５０と示される）、本発明によるものではないインクセットのインクのインク組み合わせのブリーディングのレベル（図１４における黒いバーであって、インク組み合わせＫ１，Ｍ及びＹ１を表す）と比べて、猛烈に改善したことが明らかに見られる。
【０１２６】
本実施例によるインクセットのインク組み合わせは、類似の静的及び動的表面張力を有する（表３Ａ及び表３Ｂを参照）。
【０１２７】
実施例６：  本発明によるインクセットのブリーディング性能
比較実施例Ａにおいて使用されたＫ１，Ｙ１及びＭインクを、表３Ｂに示されるように適合させた。その場合もう１つのエトキシル化シロキサン界面活性剤、即ちＴｅｇｏｗｅｔ  ２４０ではなくＢｙｋ３４８を使用した。Ｍ’インクにおいて、Ｔｅｇｏｗｅｔ  ２４０は同量のＢｙｋ３４８により置換された。Ｋ４インクは、より少なくエトキシル化シロキサン界面活性剤を含有し、且つＹ４インクは、より多くエトキシル化シロキサン界面活性剤を含有する。ブリーディングのレベルは、図１３において視覚的に見られる。図９に示される状況と比較して、大抵の色組み合わせにおけるブリーディング性能は改善したことが見られる。
【０１２８】
比較のため、上に記載された方法に従い、ＩｍａｇｅＸｐｅｒｔソフトウェアを使用して、比較実施例Ａ及び実施例６両方の場合のブリーディングレベルも測定された。結果は図１４に示す。図１４のグラフのｘ軸上の大文字は、表１に挙げた媒体タイプを表す。ｙ軸上で、上に示したように印刷され決定された線幅間の差がマイクロメートルで示される。ｘ軸における数字は、表４に挙げられるカラー組み合わせに対応する。
【０１２９】
本実施例によるインクセットのインク組み合わせのブリーディングのレベルは（図１４における陰影のついたバー、６０と示される）、本発明によるものではないインクセットのインクのインク組み合わせのブリーディングのレベル（図１４における黒いバーであって、インク組み合わせＫ１，Ｍ及びＹ１を表す）と比べて、猛烈に改善したことが明らかに見られる。
【０１３０】
この実施例において、全てのインクは界面活性剤としてＢｙｋ  ３４８を異なる濃度で含有した。Ｂｙｋ  ３４８は、Ｔｅｇｏｗｅｔ  ２４０と同様エトキシル化シロキサン界面活性剤である。従って、ブリーディング結果は、参照インク組み合わせＫ１，Ｍ及びＹ１と匹敵する。
【０１３１】
本実施例によるインクセットにおけるインク組成物は、類似の静的及び動的表面張力を有する（表３Ａ及び表３Ｂを参照）。
【０１３２】
比較実施例Ａ及び実施例４，５及び６を考慮し、且つ水性インクの精確なレシピとは無関係に、ブリーディングレベルは、界面インク−インク及び／もしくはインク−媒体において（主として）作用する界面活性剤の量により制御され得る。
【図１Ａ】
2016513740.tif 000013
【図１Ｂ】
2016513740.tif 000014
【図２】
2016513740.tif 000015
【図３Ａ】
2016513740.tif 000016
【図３Ｂ】
2016513740.tif 000017
【図３Ｃ】
2016513740.tif 000018
【図４】
2016513740.tif 000019
【図５Ａ】
2016513740.tif 000020
【図５Ｂ】
2016513740.tif 000021
【図５Ｃ】
2016513740.tif 000022
【図６】
2016513740.tif 000023
【図７】
2016513740.tif 000024
【図８】
2016513740.tif 000025
【図９】
2016513740.tif 000026
【図１０】
2016513740.tif 000027
【図１１】
2016513740.tif 000028
【図１２】
2016513740.tif 000029
【図１３】
2016513740.tif 000030
【図１４】
2016513740.tif 000031
【国際調査報告】
2016513740.tif 000032
2016513740.tif 000033
2016513740.tif 000034